(57)【要約】【課題】再生専用型あるいは記録型の光ディスクの区別なく、重要度の高い画像位置あるいは画像範囲に容易にアクセスできるプレイリスト作成機能を実現する。【解決手段】記録再生装置が取り扱う任意の記録媒体の記憶領域の任意領域の開始位置あるいは領域範囲情報をプレイリスト情報として作成することで、ユーザがプレイリスト情報を元に容易に部分領域の再生を行うことができ、またユーザがプレイリスト情報を作成した記録媒体が再度再生される場合には、ユーザがプレイリストに登録した部分領域を再生する可能性が高いため、プレイリストの検索とプレイリスト情報を自動的に画面上に表示することにより、ユーザの操作の手間を省くことができる。【選択図】      図１
2004310850.tif 000002
【特許請求の範囲】
【請求項１】
着脱可能な第１の記録媒体および内蔵された第２の記録媒体に対して画像情報の記録および再生を行う記録再生装置において、
前記第１および第２記録媒体のそれぞれの記憶領域中のある領域の開始位置あるいは領域範囲に関するプレイリスト情報を作成する作成手段と、
前記プレイリスト情報を前記第２記録媒体に格納する格納手段と、
前記第１記録媒体を再生する際に、該第１記録媒体に対応した前記プレイリスト情報が前記第２の記録媒体に記録されているかどうか検索する検索手段と、
前記プレイリスト情報が存在する場合には自動的にプレイリスト情報を表示する表示手段とを具備することを特徴とする記録再生装置。
【請求項２】
前記第２の記録媒体は、前記第１の記録媒体より記録容量が大であることを特徴とする請求項１記載の記録再生装置。
【請求項３】
前記プレイリスト情報を他の機器との間で通信可能としたことを特徴とする請求項１記載の記録再生装置。
【請求項４】
再生時のプレイリストボタンの操作に基づき、再生中のタイトル情報が記録されたメディアの先頭位置を基準とした時刻情報を計算し、前記タイトル情報を前記メディアから取得する第１のステップと、
タイトルに対応したプレイリスト情報が前記記録メディアに存在するかどうかを調べる第２のステップと、
前記プレイリスト情報が存在しない場合には、再生中のタイトルに対応したプレイリスト情報を作成し、先頭ブロックの開始時刻に時刻情報を記録し、存在する場合には対応するプレイリスト情報を表示する第３のステップと、
前記画面上に表示された前記プレイリスト情報で、開始時刻が選択された場合には、選択された開始時刻に時刻情報を記録し、終了時刻が選択された場合には、選択された終了時刻に時刻情報を記録する第４のステップとからなることを特徴とするプレイリスト作成方法。
【請求項５】
前記プレイリスト情報にコメント記入部を加え、該コメントが選択された場合には、文字入力用ＧＵＩ画面を表示し、選択されたコメントに文章を記録するステップを追加したことを特徴とする請求項４記載のプレイリスト作成方法。
【発明の詳細な説明】
【０００１】
【発明の属する技術分野】
この発明は、ＤＶＤ（Ｄｉｇｉｔａｌ  Ｖｅｒｓａｔｉｌｅ  Ｄｉｓｋ  ）−ＶＩＤＥＯ、ＤＶＤ−Ｒ（Ｒｅｃｏｒｄａｂｌｅ）、ＤＶＤ−ＲＡＭ（Ｒａｎｄｏｍ  Ａｃｃｅｓｓ  Ｍｅｍｏｒｙ）等の光ディスクに記録された動画像や音声情報について、ユーザが指定した位置あるいは範囲情報を管理する記録再生装置に関する。
【０００２】
【従来の技術】
従来の光ディスクに記録された動画像や音声の情報管理は、画像が記録される毎にライブラリ情報を作成し、これらのライブラリ情報をハードディスク内で編集可能に一括管理し表示することで、ユーザが固定ディスクまたは光ディスクに保有している画像を管理している。（例えば、特許文献１）
【０００３】
【特許文献１】
特開２００２−１５０７５４公報（第１０〜１４頁、図２〜図１６）
【０００４】
【発明が解決しようとする課題】
上記した特許文献１では、ライブラリ情報は画像の記録時に作成されることを前提としているため、例えば再生専用光ディスクと記録型光ディスクを同等に扱い、ライブラリ情報を用いて光ディスクに記録された画像の特定の範囲を指定して再生する場合に利便性の高い動作をさせることができない、という問題があった。
【０００５】
この発明の目的は、再生専用光ディスクと記録型光ディスクの区別なく、重要度の高い画像位置あるいは画像範囲に容易にアクセスできるようにした記録再生装置を提供することにある。
【０００６】
【課題を解決するための手段】
上記した課題を解決するために、この発明の記録再生装置は、着脱可能な第１の記録媒体および内蔵された第２の記録媒体に対して画像情報の記録および再生を行うものにあって、前記第１および第２記録媒体のそれぞれの記憶領域中のある領域の開始位置あるいは領域範囲に関するプレイリスト情報を作成する作成手段と、前記プレイリスト情報を前記第２記録媒体に格納する格納手段と、前記第１記録媒体を再生する際に、該第１記録媒体に対応した前記プレイリスト情報が前記第２の記録媒体に記録されているかどうか検索する検索手段と、前記プレイリスト情報が存在する場合には自動的にプレイリスト情報を表示する表示手段とを具備することを特徴とする。
【０００７】
また、この発明のプレイリスト作成方法は、再生時のプレイリストボタンの操作に基づき、再生中のタイトル情報が記録されたメディアの先頭位置を基準とした時刻情報を計算し、前記タイトル情報を前記メディアから取得する第１のステップと、タイトルに対応したプレイリスト情報が前記記録メディアに存在するかどうかを調べる第２のステップと、前記プレイリスト情報が存在しない場合には、再生中のタイトルに対応したプレイリスト情報を作成し、先頭ブロックの開始時刻に時刻情報を記録し、存在する場合には対応するプレイリスト情報を表示する第３のステップと、前記画面上に表示された前記プレイリスト情報で、開始時刻が選択された場合には、選択された開始時刻に時刻情報を記録し、終了時刻が選択された場合には、選択された終了時刻に時刻情報を記録する第４のステップとからなることを特徴とする。
【０００８】
【発明の実施の形態】
以下、この発明の実施の形態について、図面を参照しながら詳細に説明する。図１は、この発明の記録再生装置の一実施の形態について説明するための概略的なシステム構成図を示している。
図１において、システム内のＤＶＤ−ＲＡＭやＤＶＤ−Ｒ等の光ディスク１００を駆動し、この光ディスク１００に対して情報の書き込みおよび読み取りを実行することができるディスクドライブ１０２と、ハードディスク１０１を駆動し、このハードディスク１０１に対してプレイリスト情報を含む情報の書き込みおよび読み取りを実行することができるコントローラ１０３と、記録側を構成するエンコーダ部１０４と、再生側を構成するデコーダ部１０５と、この発明に係るプレイリスト情報管理部１０６１を含む装置本体の動作を統括的に制御するマイクロコンピュータブロック１０６と、メモリカード１１０に対してプレイリスト情報を含む情報の書き込みおよび読み取りを実行することができるドライバ１０７と、外部機器とデータ通信を行う通信部１０８を構成要素としている。
【０００９】
マイクロコンピュータブロック１０６の制御に基いて、エンコーダ部１０４に入力されたアナログ画像信号とアナログ音声信号をデジタル画像信号とデジタル音声信号にエンコードし、データプロセッサ１０９およびディスクドライブ１０２、コントローラ１０３を介して光ディスク１００やハードディスク１０１に記録することができる。
【００１０】
また、マイクロコンピュータブロック１０６の制御に基いて、データプロセッサ１０９およびディスクドライブ１０２を介して光ディスク１００やハードディスク１０１に記録されたデジタル画像信号とデジタル音声信号をデコーダ部１０５でアナログ画像信号とアナログ音声信号に変換し、外部に出力することができる。
【００１１】
さらに、プレイリスト情報管理部１０６１は、ハードディスク１０１と光ディスク１００の記憶領域の部分領域の開始位置あるいは領域範囲に関するプレイリスト情報を作成し、管理することが可能であり、プレイリスト情報管理部１０６１の制御に基づき、光ディスク１００が挿入された際に光ディスク１００に対応したプレイリスト情報を自動的に画面上に出力することができる。また、プレイリスト情報管理部１０６１の制御に基いてドライバ１０７を介してメモリカード１１０とプレイリスト情報の書き込みおよび読み取りを行うことができる。さらに、プレイリスト情報管理部１０６１の制御に基いて通信部１０８を介して外部機器とプレイリスト情報の送受信を行うことができる。
【００１２】
次に、このような構造の記録再生装置におけるプレイリスト作成、管理、転送機能について説明する。
［プレイリストの作成機能］
先ず、プレイリスト作成機能を説明する。図２はタイトル別モードのプレイリストメニュー画面を、図３はタイトルリストモードのプレイリストメニュー画面、すなわち以前に作成されたプレイリストのタイトル情報のみを列挙したプレイリストメニュー画面を示す。
【００１３】
光ディスク１００あるいはハードディスク１０１に記録されたタイトル（プログラム）を再生中に、キー入力部１１１のプレイリストボタン１１１１を操作することにより、図２に示すようなプレイリストメニューが画面上に表示される。
【００１４】
プレイリストはタイトル毎に作成され、複数のブロック２１Ａ〜２１Ｃ…から構成される。各ブロック２１Ａ〜２１Ｃ…はシーン、すなわちタイトル２２の部分領域の代表画像、タイトル２２が記録されたメディアの先頭位置を基準としたシーンの開始時刻２３、終了時刻２４、ソフトウェアキーボード等のＧＵＩ（Ｇｒａｐｈｉｃａｌ  Ｕｓｅｒ  Ｉｎｔｅｒｆａｃｅ）画面を利用して記入されたコメント２５を保持している。
【００１５】
再生中のタイトル２２のプレイリストがハードディスク１０１のプレイリスト管理領域に存在しない場合は、新たにタイトル２２専用のプレイリストを作成し、プレイリストの先頭ブロックにシーンの代表画像としてプレイリストボタン１１１１を押した直後に画面上に表示されていた画像の縮小画像、開始時刻としてメディア先頭位置を基準とした時刻情報、すなわち通常再生によってメディアの先頭位置からプレイリストボタン１１１１を押した時点に到達するまで要する時間を記録し、図４に示すようなプレイリストメニューを表示する。
【００１６】
タイトル２２のプレイリストがハードディスク１０１のプレイリスト管理領域に存在するときは、例えば図２に示すように再生中のタイトル２２に対応したプレイリストの内容が画面上に表示される。ユーザは開始時刻２３を選択することでメディア先頭位置を基準とした時刻情報をシーンの開始時刻２３に、終了時刻２４を選択することでメディア先頭位置を基準とした時刻情報をシーンの終了時刻２４に設定することができる。
【００１７】
コメントが選択された場合には、別途ソフトウェアキーボード等の文字入力用ＧＵＩ画面が表示され、登録されたシーンの説明に適した文章を記録することができる。
【００１８】
このようなプレイリストの作成機能の動作例を、図５のフローチャートを参照して説明する。
図５において、タイトルを再生中にプレイリストボタン１１１１が操作されると（Ｓ５１１）、マイクロコンピュータブロック１０６のプレイリスト情報管理部１０６１の制御下により、再生中のタイトルが記録されたメディアの先頭位置を基準とした時刻情報を計算し（Ｓ５１２）、再生中のタイトルの情報をメディアから取得する（Ｓ５１３）。
【００１９】
次に、タイトルに対応したプレイリストが存在するかどうかを調べ（Ｓ５１４）、存在しない場合には、再生中のタイトルに対応したプレイリストを作成し、先頭ブロックの開始時刻に時刻情報を記録する（Ｓ５２０）。存在する場合には対応するプレイリストを画面上に表示し（Ｓ５１５）、開始時刻２３が選択された場合（Ｓ５１６）には、選択された開始時刻２３に時刻情報を記録し（Ｓ５２１）、終了時刻２４が選択された場合（Ｓ５１７）には、選択された終了時刻２４に時刻情報を記録（Ｓ５２２）する。コメント２５が選択された場合（Ｓ５１８）には、文字入力用ＧＵＩ画面を表示し、選択されたコメント２５に文章を記録する（Ｓ５２３）。上記以外の項目が選択された場合には後述する所定の動作を実行する（Ｓ５１９）。
【００２０】
［プレイリストを利用したシーン再生］
次に、プレイリストを利用したシーン再生について説明する。図６はプレイリストを利用したシーン再生動作を説明するフローチャートである。
タイトル再生中にプレイリストボタン１１１１が操作されると、図２や図４に示すようなタイトル別モードのプレイリストメニュー画面が表示される。再生中でない場合には図３に示すようにタイトルリストモードのプレイリストメニュー画面が表示され、ユーザがタイトルを選択することで図２や図４に示すようなタイトル別のプレイリストメニュー画面が表示される。
【００２１】
ユーザが再生したいシーンの開始時刻あるいはシーン範囲を記録したブロックのブロック選択ボタン２６を選択し、再生メニュー２７が選択されると、プレイリスト情報管理部１０６１の制御下でブロックに記録された開始時刻から再生するシーンの開始位置を計算し、終了時刻情報がある場合にはシーンの終了位置まで、終了時刻情報が無い場合にはシーンが属するタイトルの終了位置までシーンを再生する。複数のシーンを連続して再生したい場合には、再生順に従ってシーンの開始時刻あるいはシーン範囲を記録したブロックのブロック選択ボタン２６を選択し、再生メニュー２７を選択すれはよい。
【００２２】
このようなプレイリストを利用したシーン再生は、例えば以下のような動作によって実現されるものである。すなわち、図６において、プレイリストボタン１１１１が操作されると（Ｓ６１０）、マイクロコンピュータブロック１０６のプレイリスト情報管理部１０６１の制御下により、記録再生装置の動作状況の情報を取得し（Ｓ６１１）、タイトル再生中かどうかを判定する（Ｓ６１２）。タイトルを再生中でない場合にはタイトルリストモードのプレイリストメニュー画面を表示し（Ｓ６１９）、タイトルが選択されるまで待ちつづける（Ｓ６２０）。タイトルが選択された後は、選択されたタイトルのプレイリストメニュー画面を表示する（Ｓ６１５）。プレイリストボタン１１１１が押された時にタイトル再生中だった場合には、再生中のタイトルに対応したプレイリストがあるかどうかを判定し（Ｓ６１３）、存在しない場合にはプレイリスト作成ルーチンを実行する（Ｓ６１４）。プレイリストが存在する場合には再生中のタイトルのプレイリストメニュー画面を表示する（Ｓ６１５）。
【００２３】
タイトル別モードのプレイリストメニュー画面表示中に、ブロック選択ボタン２６が選択されると（Ｓ６１６）、ブロックの選択状態を判定し（Ｓ６２１）、未選択状態の場合にはブロック選択中表示をＯＮにし、ＦＩＦＯ（Ｆｉｒｓｔ−Ｉｎ  Ｆｉｒｓｔ−Ｏｕｔ）型の再生リストに選択されたブロックを追加する（Ｓ６２２）。選択状態の場合には、ブロック選択中表示をＯＦＦにし、再生リストから選択されたブロックを削除する（Ｓ６２３）。
【００２４】
タイトル別モードのプレイリストメニュー画面表示中に再生メニュー２６が選択されると（Ｓ６１７）、再生リストに登録された順にブロックを読み出し、ブロックに記録されたシーンの開始時刻あるいはシーン範囲情報に従ってシーンの再生を開始する（Ｓ６２４）。上記以外の項目が選択された場合には後述する所定の動作を実行する（Ｓ６１８）。
【００２５】
このように、任意のタイトルのシーン情報をプレイリストに登録し、再生できるようにすることで、ユーザが所望のシーンを容易に検索し、再生することができる。また、プレイリスト作成機能および再生機能は再生専用光ディスク、記録型光ディスク、ハードディスク１０１を区別せず任意のシーンをプレイリストに登録できるため、メーカーによって予め用意されたチャプターに比べて自由度が高い。
【００２６】
［プレイリストからブロックを手動で削除］
次に、プレイリストからブロックを手動で削除する方法について説明する。
ブロック選択ボタン２６を操作することによってブロックを選択し、最後に消去メニュー２８を操作することで選択された単数あるいは複数のブロックを削除することが可能である。
【００２７】
このようにプレイリストからブロックを削除できるようにすることにより、不用になったシーン情報を削除してハードディスク１０１の容量を有効活用することができる。
【００２８】
［プレイリストメニュー画面の自動表示機能］
次に、光ディスク挿入時のプレイリストメニュー画面の自動表示機能について説明する。
ディスクドライブ１０２に装着された光ディスク１００に記録されたタイトルに対応したプレイリストが複数存在する場合は、タイトルリストモードのプレイリストメニュー画面を、一つしか無い場合にはタイトル別モードのプレイリストメニュー画面を自動的に表示する。以前に作成されたプレイリストのタイトルが再度視聴される場合には、プレイリストに登録されたシーンを再生する可能性が高いため、上記のように光ディスク挿入時にプレイリストメニュー画面を表示することでユーザの操作の手間を省くことができる。
【００２９】
［プレイリスト転送機能］
次に、図７〜図１１を用いてこの発明に係るプレイリスト転送機能について説明する。図７はプレイリスト転送先選択画面を、図８はプレイリスト転送元選択画面を、図９がプレイリストのタイトル選択画面を、図１０はプレイリストのブロック選択画面を、図１１はユーザの記録再生装置とプレイリストの送受信を行うメディアや機器との関係を示す。
【００３０】
図２に示すタイトル別モードのプレイリストメニュー画面を表示中にブロック選択ボタン２６を操作することでブロックを一つあるいは複数選択し、最後に転送メニュー２９を選択すると、図７に示すプレイリスト転送先選択画面が表示される。画面上のメモリカードアイコン５１を選択し、メモリカード６１が記録再生装置６０にセットされている場合は、選択された一つあるいは複数のブロックからなるプレイリスト情報をメモリカード６１に書き込む。サーバーアイコン５２が選択されると、所定のプレイリスト交換専用サーバー６２と通信を開始し、選択された一つあるいは複数のブロックからなるプレイリスト情報を送信する。記録再生装置アイコン５３が選択されると、ＩＰアドレス入力用ＧＵＩ画面が表示され、ＩＰアドレス入力後、通信先の記録再生装置６３が存在し、プレイリストの送信要求に対して送信許可が得られた場合は、選択された一つあるいは複数のブロックからなるプレイリスト情報を送信する。
【００３１】
プレイリストのブロックを選択せずに転送メニューを選択すると、図８に示すプレイリスト転送元選択画面が表示される。メモリカードアイコン５４が選択されると、メモリカード６１が記録再生装置６０にセットされている場合にはメモリカードからプレイリスト情報を読み込む。複数のプレイリストが存在する場合には図９のプレイリストのタイトル選択画面が、プレイリストが一つしか存在しない場合には図１０のプレイリストのブロック選択画面が表示される。
【００３２】
サーバーアイコン５５が選択されると、所定のプレイリスト交換専用サーバー６２と通信を開始し、図９のプレイリストのタイトル選択画面が表示される。タイトル選択画面でタイトルが選択されると、図１０のプレイリストのブロック選択画面が表示され、ブロック選択ボタン５６を操作することでブロックを選択し、受信ボタン５７を操作することで選択したブロックからなるプレイリスト情報をユーザの記録再生装置６０に追加することができる。
【００３３】
また、上述したように別の記録再生装置６３が、インターネット６４を介して記録再生装置６０にプレイリストの送信要求を送ってきた場合に送信許可を返すと、記録再生装置６３が送信したプレイリスト情報をユーザの記録再生装置６０に追加することができる。
【００３４】
このようにネットワークやメモリカード等の小型記録メディア経由でプレイリストの送受信を可能とすることにより、ユーザは作成したプレイリストを他者に公開することができる。また、他者が作成したプレイリストを利用することで、プレイリストを作成する手間を省くことができる。
【００３５】
【発明の効果】
以上説明したように、この発明の記録再生装置によれば、取り扱う任意の記録媒体の記憶領域の任意領域の開始位置あるいは領域範囲情報をプレイリスト情報として作成することで、ユーザがプレイリスト情報を元に容易に部分領域の再生を行うことができる。
【図面の簡単な説明】
【図１】この発明の一実施の形態に係る画像記録再生装置の構成を説明するためのブロック構成図。
【図２】この発明に係るプレイリスト機能のタイトル別モードのプレイリストメニュー画面について説明するための説明図。
【図３】この発明のプレイリスト機能のタイトルリストモードのプレイリストメニュー画面説明するための説明図。
【図４】この発明に係るプレイリスト機能の新規にプレイリスト作成時のタイトル別モードのプレイリストメニュー画面について説明するための説明図。
【図５】この発明に係るプレイリスト作成動作を説明するフローチャート。
【図６】この発明に係るプレイリストを利用したシーン再生動作を説明するフローチャート。
【図７】この発明に係るプレイリスト転送機能のプレイリスト転送先選択画面について説明するための説明図。
【図８】この発明に係るプレイリスト転送機能のプレイリスト転送元選択画面について説明するための説明図。
【図９】この発明に係るプレイリスト転送機能のプレイリストのタイトル選択画面について説明するための説明図。
【図１０】この発明に係るプレイリスト転送機能のプレイリストのブロック選択画面について説明するための説明図。
【図１１】この発明に係るユーザの記録再生装置とプレイリストの送受信を行うメディアや機器との関係について説明するための説明図。
【符号の説明】
１００…光ディスク
１０１…ハードディスク
１０２…ディスクドライブ
１０３…コントローラ
１０４…エンコーダ部
１０５…デコーダ部
１０６…マイクロコンピュータブロック
１０６１…プレイリスト情報管理部
１０７…ドライバ
１０８…通信部
１０９…データプロセッサ
１１０…メモリカード
１１１…キー入力部
１１１１…プレイリストボタン
【図１】
2004310850.tif 000003
【図２】
2004310850.tif 000004
【図３】
2004310850.tif 000005
【図４】
2004310850.tif 000006
【図５】
2004310850.tif 000007
【図６】
2004310850.tif 000008
【図７】
2004310850.tif 000009
【図８】
2004310850.tif 000010
【図９】
2004310850.tif 000011
【図１０】
2004310850.tif 000012
【図１１】
2004310850.tif 000013